(57)【要約】【課題】  レンジフードのフィルターにフィルターカバーを弛みなく取り付けることができるフィルターカバー取付方法及びフィルター装置を提供する。【解決手段】  フィルターカバー３の外周端部４がフィルター２の外側にはみ出すように、フィルターカバー３をフィルター２に位置合わせして、フィルター２の表面をフィルターカバー３で覆い、フィルターカバー３の外周端部４をフィルター２の端部からフィルター２の裏側へ内向きに折り返し、フィルターカバー３の表面を展張り状態にした後、フィルター２のコーナ部１９を避けて、外周端部４に設けられた掛止部９を有する所定長さの複数の掛止具７にバンド部材１０を掛止させ、掛止具７を介してフィルターカバー３の外周端部４にフィルター２の中心側へ向かう引張力を作用させ、フィルターカバー３の展張り状態を保持する。【選択図】      図１
2006341148.tif 000002
【特許請求の範囲】
【請求項１】
レンジフードの空気吸入口を塞ぐようにして着脱自在に取り付けられる矩形状のフィルターに、シート状のフィルターカバーを取り付けるためのフィルターカバー取付方法において、
前記フィルターカバーの外周端部が前記フィルターの外側にはみ出すように、前記フィルターカバーを前記フィルターに位置合わせして、前記フィルターの表面を前記フィルターカバーで覆い、該フィルターカバーの外周端部を前記フィルターの端部から前記フィルターの裏側へ内向きに折り返し、前記フィルターカバーの表面を展張り状態にした後、前記外周端部に設けられた掛止部を有する所定長さの複数の掛止具にバンド部材を掛止し、前記フィルターカバーの外周端部に前記フィルターの対辺方向内側へ向かう引張力を作用させ、前記フィルターカバーの展張り状態を保持することを特徴とするフィルターカバー取付方法。
【請求項２】
レンジフードの空気吸入口を塞ぐようにして着脱自在に取り付けられる矩形状のフィルターの裏側へ、該フィルターの端部から外周端部を内向きに折り返して、該フィルターの表面を展張り状態に覆うシート状のフィルターカバーと、
前記フィルターの端部とそれぞれ平行に、前記フィルターカバーの外周端部に設けられた掛止部を有する所定長さの複数の掛止具と、
前記フィルターカバーの表面の展張り状態を保持するために、前記掛止部に掛止して、前記フィルターカバーの外周端部に前記フィルターの対辺方向内側へ向かう引張力を作用させる着脱可能なバンド部材と、を備えたことを特徴とするフィルター装置。
【請求項３】
前記掛止具は、前記フィルターの端部と平行に配置される真直の基部を有することを特徴とする請求項２記載のフィルター装置。
【請求項４】
前記基部は、前記外周端部に熱圧着で固定されたことを特徴とする請求項２又は３記載のフィルター装置。
【請求項５】
前記基部は、前記外周端部に形成された保持部に保持されたことを特徴とする請求項２又は３記載のフィルター装置。
【請求項６】
前記フィルターの対角方向を除く方向で前記フィルターカバーの外周端部に内向きの引張力を作用させるように、前記バンド部材が前記掛止具に掛止されたことを特徴とする請求項２〜５の何れか１項に記載のフィルター装置。
【発明の詳細な説明】
【技術分野】
【０００１】
本発明は、レンジフードの空気吸入口を塞ぐようにして着脱自在に取り付けられるフィルターに、シート状のフィルターカバーを取り付けるためのフィルターカバー取付方法及びフィルター装置に関するものである。
【背景技術】
【０００２】
一般に、レンジフードのフィルターに、油煙、塵埃、水蒸気等を付着させるフィルターカバーを取り付けるためのフィルターカバー取付方法及びフィルター装置の一例として、特許文献１に記載されているものが知られている。
【０００３】
図７に示すように、特許文献１のフィルター装置４１は、金属フィルター４２の表面側を覆うフィルターカバー４３と、フィルターカバー４３の端部に引張力を作用させてフィルターカバー４３の表面を展張った状態（緊張させた状態）にする伸縮性バンド部材４６とから構成されている。金属フィルター４２は、アルミニウムなどの金属で枠状に形成されており、枠内は通気性を有するように網目状になっている。この金属フィルター４２は、約８ｍｍ前後の厚みがある。４つのコーナ部４７は直角であり、厚み方向の角点は鋭く尖っている。
【０００４】
フィルターカバー４３は、通気性があり汚れた油煙などを吸着する素材である不織布などから作られたものであり、開口４５を有する袋状に形成されている。環状の外周端部（周縁部）には、縁に沿うようにして、バンド部材４６を挿通させる環状挿通孔４４が形成されている。環状挿通孔４４は、布片などをフィルターカバー４３に縫合したり、挿通孔を有する柔軟な環状部材をフィルターカバー４３に固着したり縫合したりすることにより形成される。
【０００５】
バンド部材４６は、フィルターカバー４３の環状挿通孔４４に取り付けられている。バンド部材４６が縮むことで、フィルターカバー４３の外周端部が収縮し、フィルターカバー４３の表面が展張った状態となる。
【０００６】
金属フィルター４２にフィルターカバー４３を取り付ける際は、バンド部材４６を伸ばして開口４５を大きく開き、フィルターカバー４３を金属フィルター４２表面を覆うようにして被せ、フィルターカバー４３の外周端部の収縮により、外れないように取り付けられる。
【０００７】
【特許文献１】特開平１１−３００１３０号公報（第３−４頁、図１）
【発明の開示】
【発明が解決しようとする課題】
【０００８】
従来のフィルター装置では、外周端部が収縮可能なフィルターカバー４３で金属フィルター４２を被包するとき、金属フィルター４２の４つのコーナ部４７の角点（詳細には、厚みがあるため８ケ所）にフィルターカバー４３自体が食い込んだり、突っ掛け状態になったりする。フィルターカバー４３を金属フィルター４２表面において均一に展張った状態に整えるためには、４つのコーナ部４７に食い込んだ部分を外しながら、フィルターカバー４３を整えなければならず、フィルターカバー４３の取り付けがわずらわしく、手間がかかるという問題があった。
【０００９】
また、金属フィルター４２の４つのコーナ部４７の角点においては、コーナ部４７にフィルターカバー４３が食い込むために、バンド部材４６の伸縮により金属フィルター４２のコーナ部を結ぶ対角線方向でフィルターカバー４３に引張力が作用するものの、フィルターカバー４３はスライドせず、金属フィルター４２の表面側でフィルターカバー４３に展張る作用は生じない。また、金属フィルター４２のコーナ部４７にフィルターカバー４３が食い込んだ状態にあると、金属フィルター４２の表面側でフィルターカバー４３が展張った状態になったとしても、コーナ部４７以外の部分である辺の中間部分で、フィルターカバー４３が大きく弛んだり、波打ったりして、実際にはフィルターカバー４３を金属フィルター４２に密着させた状態に展張らせることができないという問題があった。
【００１０】
金属フィルター４２の辺の中間部で、フィルターカバー４３の弛みを少なくするために、バンド部材４６の伸縮性を高めて（強くして）、フィルターカバー４３を強く引っ張るようにすると、金属フィルター４２にフィルターカバー４３を取り付けづらくなると共に、金属フィルター４２のコーナ部４７がフィルターカバー４３により一層強く食い込んで、フィルターカバー４３に裂けるなどの破損や損傷が生じる心配があった。このような問題は、相対的に大きいサイズの金属フィルターに相対的に小さいサイズのフィルターカバー４３を取り付ける際に生じる問題でもある。
【００１１】
逆に、バンド部材４６の伸縮性を低く（弱く）した場合は、フィルターカバー４３に弛みが生じ、殊に相対的に小さいサイズの金属フィルター４２に相対的に大きいサイズのフィルターカバー４３を取り付けた際に大きな弛みが生じ、当初の目的を達し得ない。弛んだカバー部分は、レンジフードの取付溝に挟まることもある。
【００１２】
また、フィルターカバー４３の破損や弛みの問題は、フィルターカバー４３が金属フィルター４２のサイズに対応しないために生じる問題でもある。これらの問題を解決するためには、金属フィルターのサイズに対応するサイズ違いのフィルターカバーを多数用意しなければならないが、そうすると、フィルターカバーの汎用性が低くなるという別の問題が生じる。
【００１３】
本発明は、フィルターの表裏両面でフィルターカバーを弛みなく取り付けることができるフィルターカバー取付方法及びフィルター装置を提供することを目的とする。また、フィルターにフィルターカバーを被包するとき、フィルターの鋭い角点になっているコーナ部でフィルターカバーに破損や損傷が生じないようにすることを目的とする。
【課題を解決するための手段】
【００１４】
上記目的を達成するために、請求項１記載のフィルターカバー取付方法は、レンジフードの空気吸入口を塞ぐようにして着脱自在に取り付けられる矩形状のフィルターに、シート状のフィルターカバーを取り付けるためのフィルターカバー取付方法において、前記フィルターカバーの外周端部が前記フィルターの外側にはみ出すように、前記フィルターカバーを前記フィルターに位置合わせして、前記フィルターの表面を前記フィルターカバーで覆い、該フィルターカバーの外周端部を前記フィルターの端部から前記フィルターの裏側へ内向きに折り返し、前記フィルターカバーの表面を展張り状態にした後、前記外周端部に設けられた掛止部を有する所定長さの複数の掛止具にバンド部材を掛止し、前記フィルターカバーの外周端部に前記フィルターの対辺方向内側へ向かう引張力を作用させ、前記フィルターカバーの展張り状態を保持することを特徴とする。
【００１５】
また、請求項２記載のフィルター装置は、レンジフードの空気吸入口を塞ぐようにして着脱自在に取り付けられる矩形状のフィルターの裏側へ、該フィルターの端部から外周端部を内向きに折り返して、該フィルターの表面を展張り状態に覆うシート状のフィルターカバーと、前記フィルターの端部とそれぞれ平行に、前記フィルターカバーの外周端部に設けられた掛止部を有する所定長さの複数の掛止具と、前記フィルターカバーの表面の展張り状態を保持するために、前記掛止部に掛止して、前記フィルターカバーの外周端部に前記フィルターの対辺方向内側へ向かう引張力を作用させる着脱可能なバンド部材と、を備えたことを特徴とする。
【００１６】
また、請求項３記載の発明は、請求項２記載のフィルター装置において、前記掛止具は、前記フィルターの端部と平行に配置される真直の基部を有することを特徴とする。
【００１７】
また、請求項４記載の発明は、請求項２又は３記載のフィルター装置において、前記基部は、前記外周端部に熱圧着で固定されたことを特徴とする。
【００１８】
また、請求項５記載の発明は、請求項２又は３記載のフィルター装置において、前記基部は、前記外周端部に形成された保持部に保持されたことを特徴とする。
【００１９】
また、請求項６記載の発明は、請求項２〜５の何れか１項に記載のフィルター装置において、前記フィルターの対角方向を除く方向で前記フィルターカバーの外周端部に内向きの引張力を作用させるように、前記バンド部材が前記掛止具に掛止されたことを特徴とする。
【発明の効果】
【００２０】
以上の如く、請求項１記載の発明によれば、フィルターに位置合わせしたフィルターカバーの対向する外周端部を、フィルターの端部（辺）を支点として内向きに同時に折り返すことで、フィルターカバーがフィルターのコーナ部に食い込むことが防止され、フィルター表面側でフィルターカバーの弛みや皺を残すことなく、フィルターカバーの表面を展張り状態にすることができる。続いて、フィルターの裏面側で、外周端部に設けられた掛止部を有する所定長さの複数の掛止具にバンド部材を掛止することで、フィルターカバーの外周端部にフィルターの対辺方向内側へ向かう引張力を作用させ、フィルターの表面側でフィルターカバーの全面均一に展張った状態を保持することできると共に、フィルターの裏面側でフィルターカバーの弛みや皺を無くすことができる。したがって、フィルターの表裏両面にフィルターカバーを弛みなくぴたりと密着させて取り付けることができる。また、フィルターの鋭い角点になっているコーナ部でフィルターカバーに破損や損傷が生じることを防止することができる。
【００２１】
また、請求項２記載の発明によれば、フィルターカバーの対向する外周端部を、内向きに同時に折り返すことで、フィルターのコーナ部をフィルターカバーに食い込ませることなく、また、フィルター表面側でフィルターカバーの弛みや皺を残すことなく、フィルターカバーの表面を展張り状態にすることができる。続いて、フィルターカバーの外周端部に設けられた複数の掛止具にバンド部材を取り付けることで、フィルターカバーの外周端部にフィルターの対辺方向内側へ向かう引張力を作用させ、フィルターの表面側でフィルターカバーを全面均一に展張った状態を保持することできると共に、フィルターの裏面側でフィルターカバーの弛みや皺を無くすことができる。逆に、フィルターからフィルターカバーを外す際は、バンド部材を弾性的に伸ばしたり、バンド部材の緊縛を解いたりして、掛止具からバンド部材を外した後、フィルターからフィルターカバーを外す。したがって、フィルターの表裏両面にフィルターカバーを弛みなくぴたりと密着させて取り付けることができる。また、金属フィルターの鋭い角点になっているコーナ部でフィルターカバーに破損や損傷が生じることを防止することができる。また、バンド部材が着脱可能に取り付けられるから、フィルターカバーの取り付け／取り外しを容易に行うことができる。また、１種類のフィルターカバーでフィルターのサイズ違いを吸収することができ、汎用性を高めることができる。
【００２２】
また、請求項３記載の発明によれば、掛止具に、フィルターの端部と平行に配置される真直の基部が設けられたことで、この掛止具を介してバンド部材の引張力をフィルターカバーの外周端部に一定の幅で作用させることができ、フィルターとフィルターカバーの密着性が良くなる。したがって、フィルターカバーの弛みをなくし、皺を伸ばすことができ、フィルターにフィルターカバーをぴたりと合わせることができる。
【００２３】
また、請求項４記載の発明によれば、基部が外周端部に熱圧着で固定されることで、フィルターカバーと掛止具とを一部品化でき、取扱性を向上することができる。
【００２４】
また、請求項５記載の発明によれば、基部が保持部に保持されることで、掛止具を外周端部に取り付けることができる。
【００２５】
また、請求項６記載の発明によれば、フィルターの対角方向を除く方向でフィルターカバーの外周端部に内向きの引張力が作用し、１本のバンド部材は内向きに折り返されたフィルターカバーのコーナ部を避けて、菱形形状をなしてフィルターカバーに取り付けられることとなる。したがって、フィルターカバーにフィルターのコーナ部が食い込まなくなり、フィルターカバーの破損や損傷を防止することができる。
【発明を実施するための最良の形態】
【００２６】
以下に本発明の実施の形態の具体例を図面を用いて詳細に説明する。図１は、本発明に係るフィルター装置の第１の実施形態を示すものである。
【００２７】
図示するフィルター装置１は、ガスレンジの上方に設置されるレンジフード１２（図２）に着脱自在に取り付けられるものであり、レンジフード１２の受け口１３に着脱自在に取り付けられる矩形状の金属フィルター２の裏側で内向きに折り返されて金属フィルター２の表面側を覆う矩形シート状のフィルターカバー３と、フィルターカバー３の外周端部４の４ケ所に取り付けられた掛止具７と、４つの掛止具７が囲む矩形状の開口５を窄めることができるように、掛止具７に着脱可能に取り付けられたゴムバンド１０（バンド部材）とから構成されている。
【００２８】
レンジフード１２（図４）は、プレス加工により鉄板を打ち抜いた後、折り曲げ加工し、必要に応じて補強部材を溶接して箱型に形成されたものである。このレンジフード１２は、壁１６に固定されている。受け口１３は、空気吸入口に相当し、下向きに開口形成されている。このレンジフード１２の内側には、排気口１４と、排気口１４から油煙などを強制的に排気させるためのファン１５が設けられている。
【００２９】
図１に示すように、金属フィルター２は、レンジフード１２に既設のものであり、アルミニウムなどの金属を構成材料として矩形状に形成されたものである。金属フィルター２の内側は、通気性を良くするため網目状に形成されている。しかし、金属フィルター２だけでは、油煙が通過してしまうため、レンジフード１２の内部が汚れ、レンジフード１２の内部を繁茂に洗浄しなければならず、また、金属フィルター２自体も油で汚れるため、金属フィルター２は、通気性を損なわず、汚れを吸着させることができるフィルターカバー３と共に用いられている。
【００３０】
フィルターカバー３は、例えばポリエステル繊維を構成材料とする難燃性の不織布であり、ロール状のカバー素材から所定寸法に裁断して得られたものである。裁断されたフィルターカバー３は、薄いシート状をなし、柔軟性を有している。フィルターカバー３の寸法は任意であるが、本実施形態のフィルターカバー３は、矩形状の金属フィルター２より一回り大きい四角形状に裁断されている。なお、フィルターカバー３の材質、メッシュ、厚みは任意である。
【００３１】
フィルターカバー３の外周端部４としての四辺４ａ，４ｂ，４ｃ，４ｄには、掛止具７がフィルターカバー３の外周端部４に熱圧着により一体的に固定されている。各掛止具７は、各辺４ａ，４ｂ，４ｃ，４ｄの中央部で、金属フィルター２の各端部（辺）と平行に設けられている。ここで、熱圧着とは、掛止具７とフィルターカバー３とを重ねた状態で、熱と圧力を同時に加えて、掛止具７とフィルターカバー３とを接着する方法である。
【００３２】
掛止具７は、加熱により溶けやすいプラスチック材料、例えばポリエチレンを構成材料とし、所定厚さのプラスチック板を打ち抜き、折り曲げることにより形成され、フィルターカバー３に圧着される部分である所定長さの圧着部（基部）８と、圧着部８の中央に突出形成されたフック９とからなっている。真直である圧着部８の長さや幅は、フィルターカバー３の外周端部４を拘束する性質を有している。このように、掛止具７をフィルターカバー３に熱圧着により固定した場合は、フィルターカバー３と掛止具７とが一部品化され、フィルターカバー３の取扱性を向上することができる。
【００３３】
図２及び図３に示すように、フック９は、圧着部８に同一平面で連なる支持部９ａと、支持部９ａの両側から同方向に折曲形成された折曲片９ｂとからなっている。支持部９ａと圧着部８とが交差するコーナ部近傍の折曲片９ｂの角には、面取り９ｃが形成されている。このため、支持部９ａと折曲片９ｂとの間には隙間１８が形成され、この隙間１８にゴムバンド１０を挟まれるようになっている。このようにフック９を形成した場合は、フック９の強度が向上すると共に、ゴムバンド１０が不用意にフック９から外れることを防止することができる。
【００３４】
ゴムバンド１０は４カ所の掛止具７のフック９に引っ掛けられ、ゴムバンド１０の弾性復元力（引張力）により複数の掛止具７が囲む矩形状の開口５を窄め、金属フィルター２表面側でフィルターカバー３を展張った状態に保持し、辺の（長辺及び短辺）中間部・内側平面部領域の弛みをなくし、緊張させる。図１に示すように、ゴムバンド１０は、内向きに折り返された外周端部４のコーナ部１９を避けて金属フィルター２の各辺の中央部に対応する位置で４箇所のフック９に引っ掛けられて菱形形状をなしているため、フィルターカバー３は金属フィルター２の対辺方向に引っ張られるが、フィルター２のコーナ部を結ぶ対角線方向には引っ張られず、フィルターカバー３にフィルター２のコーナ部が強く食い込まないようになっている。
【００３５】
次に、フィルターカバー３の金属フィルター２への取付方法について説明する。外周端部４に掛止具７が取り付けられたフィルターカバー３を広げ、フィルターカバー３の外周端部４が金属フィルター２の外側にはみ出すように、フィルターカバー３を金属フィルター２の中心に位置合わせし、金属フィルター２の表面側をフィルターカバー３で覆う。
【００３６】
続いて、フィルターカバー３の対向する一対の外周端部４ａ，４ｃを、金属フィルター２の裏側で、金属フィルター２の端部を支点として同時に内向きに折り返し、折り返す力の作用により、金属フィルター２の表面側を展張らせ、弛みや皺無く金属フィルター２の周囲を覆う。そして、フィルターカバー３の外周端部４の上下の掛止具７，７にゴムバンド１０を引っ掛け、フィルターカバー３を金属フィルター２の一対の端部の対辺方向内側に引っ張る。
【００３７】
同様にして、フィルターカバー３の対向する他の一対の外周端部４ｂ，４ｄを、金属フィルター２の裏側で、金属フィルター２の端部を支点として同時に内向きに折り返し、折り返す力の作用により、金属フィルター２の表面側を展張らせ、弛みや皺無く金属フィルター２の周囲を覆う。そして、フィルターカバー３の外周端部４の左右の掛止具７，７にゴムバンド１０を引っ掛け、フィルターカバー３を金属フィルター２の他の一対の端部の対辺方向内側に引っ張る。
【００３８】
以上のように、外周端部４の４つの掛止具７に、ゴムバンド１０を引っ掛けることで、４つの掛止具７を介してフィルターカバー３の外周端部４にフィルターの中心側へ向かう引張力が作用し、フィルターカバー３の展張り状態が保持される。
【００３９】
油煙などの汚れが付着したフィルターカバー３を金属フィルター２から取り外す場合は、ゴムバンド１０を伸ばした状態で、４つの掛止具７からゴムバンド１０を外し、内側に折り返されたフィルターカバー３の外周端部４を外側に開くことで、フィルターカバー３を簡単に取り外すことができる。そして、再び新しいフィルターカバー３を上述した方法で取り付ける。
【００４０】
図４及び図５に示すように、レンジフード１２には、組み立てられたフィルター装置１が左右並べて装着される。装着する際は、フィルター装置１の表面側が下向きになるようにして、レンジフード１２の受け口１３から挿入し、受け口１３の前後の取付部１３ａにフィルター装置１の前後の端部を係合させる。
【００４１】
以上のように、本実施形態のフィルター装置１によれば、金属フィルター２の外側にはみ出したフィルターカバー３の外周端部４を、金属フィルター２の端部を支点として内向きに折り返すことができ、金属フィルター２の表裏両面でフィルターカバー３の弛みや皺を残すことなく、フィルターカバー３を取り付けることができる。また、折り返した外周端部４に掛止具７を介してゴムバンド１０を取り付け、このゴムバンド１０を弾性的に縮めることで、金属フィルター２の中心で掛止具７が形成する矩形状の開口５を窄めることができ、金属フィルター２の表面側でフィルターカバー３の展張った状態を保持することができる。ゴムバンド１０は、フィルターカバー３のコーナ部１９を避けて掛止具７に掛止されているから、金属フィルター２の鋭い角点になっているコーナ部でフィルターカバー３に破損や損傷が生じることが防止される。また、ゴムバンド１０をフィルターカバー３に着脱可能に取り付けることができるから、金属フィルター２からフィルターカバー３の取り付け／取り外しを容易に行うことができる。
【００４２】
次に、図６に示すように、フィルター装置の第２の実施形態について説明する。本実施形態と第１の実施形態の共通する構成部分については、同一符号を付して説明を省略する。
【００４３】
本実施形態のフィルター装置は、第１の実施形態のフィルター装置と同様にして、フィルターカバーと、掛止具２７と、ゴムバンド１０とから構成されている。フィルターカバー３は、その外周端部４の四辺４ａ，４ｂ，４ｃ，４ｄにおいて、フィルターカバー３とは別体に形成された掛止具２７の両端を挿通させて保持する保持部２６を有している。保持部２６は、フィルターカバー３の外周端部４を外向きに折り返し、端を熱圧着や接着剤などで接着して形成したものである。保持部２６の内側は挿通孔２６ａとなっており、掛止具２７を挿通させることができる大きさに形成されている。掛止具２７をフィルターカバー３に取り付ける際は、掛止具２７をフィルターカバー３の外周端部４に宛がい、掛止具２７の外側にはみ出した残部を掛止具２７を包み込むように外向きに折り返し、折り返した外周端部４の端を熱圧着などにより接着する。これにより、掛止具２７は、保持部２６から外れることなく、フィルターカバー３に取り付けられる。
【００４４】
掛止具２７は、例えばポロエチレン、ポリプロピレンなどのプラスチック材料から厚さ０．５〜１．５ｍｍ程度に形成され、所定長さの取付部（基部）２８と、取付部２８の中央に突出形成されたフック（掛止部）２９とからなっている。真直の取付部２８の長さや幅は、フィルターカバー３の大きさ形状によって定められている。取付部２８の長さを、図６に示す程度に長くすることで、取付部２８に拘束されるフィルターカバー３の辺を強く拘束でき、フィルターカバー３の外周端部４を金属フィルター２の端部を支点として、内向きに弛みなく折り返すことが可能となる。取付部２８に一体形成されたフック２９には、ゴムバンド１０が引っ掛けられるようになっている。なお、本実施形態のフィルターカバー取付方法は、第１の実施形態と同様であるため、その説明を省略することとする。
【００４５】
この第２の実施形態によれば、フィルターカバー３と掛止具２７とが一体的に固定されていないため、掛止具２７をフィルターカバー３に対して相対的にずらすことができ、金属フィルター２に対するフィルターカバー３の取付位置を修正することができる。
【００４６】
なお、本発明は上記実施形態に限定されるものではなく、本発明の骨子を逸脱しない範囲で種々変形して実施することができる。例えば、本実施形態では、バンド部材として伸縮性を有するゴムバンド１０を用い、ゴムバンド１０の弾性復元力を利用してフィルターカバー３の展張った状態を保持しているが、伸縮性を有しないバンドを用い、このバンドを緊縛することによりフィルターカバー３を取り付けるようにしてもよい。
【００４７】
また、１本のゴムバンド１０を４つの掛止具７，２７のフック９，２９に引っ掛けているが、２本のゴムバンドを用いて、各ゴムバンドを対向する２つの掛止具７，２７のフック９，２９に引っ掛けてもよい。
【００４８】
また、第１の実施形態では、支持部９ａの両側に折曲片９ｂが形成されたフック９を有する掛止具７が用いられているが、第２の実施形態のフック２９に代えることもできる。逆に、第２の実施形態の掛止具２７に、第１の実施形態のフック９を備えることもできる。
【００４９】
また、第１の実施形態の掛止具７は、熱圧着によりフィルターカバー３に接着されているが、接着材により接着することもできる。
【図面の簡単な説明】
【００５０】
【図１】本発明に係るフィルター装置の第１の実施形態を示す平面図である。
【図２】図１のフィルター装置の掛止具を示す拡大図である。
【図３】図２に示す掛止具の正面図である。
【図４】図１に示すフィルター装置をレンジフードに取り付けた状態を示す断面図である。
【図５】図４のＡ−Ａ線に沿って切断した断面図である。
【図６】本発明に係るフィルター装置の第２の実施形態を示す平面図である。
【図７】従来のフィルター装置の一例を示す斜視図である。
【符号の説明】
【００５１】
１，２０    フィルター装置
２    金属フィルター（フィルター）
３    フィルターカバー
４    外周端部
５    開口
７，２７    掛止具
８    圧着部（基部）
９，２９    フック（掛止部）
１０    ゴムバンド（バンド部材）
１２    レンジフード
１３    受け口（空気吸入口）
２８    取付部（基部）
【図１】
2006341148.tif 000003
【図２】
2006341148.tif 000004
【図３】
2006341148.tif 000005
【図４】
2006341148.tif 000006
【図５】
2006341148.tif 000007
【図６】
2006341148.tif 000008
【図７】
2006341148.tif 000009